(57)【要約】【課題】オーディオケーブルがイヤホンに固定されることによる不便を解消でき、且つオーディオケーブルの交換が可能になる。【解決手段】複数の種類のオーディオケーブルを選択して、イヤホン本体にそのうちの一種類のオーディオケーブルを係合可能であり、各種類のオーディオケーブルにオーディオ端子が設けられ、イヤホン本体と、第１係止構造と、を含むオーディオケーブル交換可能なイヤホンにおいて、イヤホン本体は、オーディオコンセントを含み、オーディオコンセントにオーディオ端子を挿入可能であり、オーディオコンセントにオーディオ端子を挿入したと、オーディオケーブルがイヤホン本体と電気的に連接し、第１係止構造がオーディオコンセントに設けられ、第１係止構造により、オーディオコンセントにオーディオ端子を挿入したときに、オーディオコンセントと前記オーディオ端子が互いに係止する。【選択図】図２Ａ
2011234124.tif 000002
【特許請求の範囲】
【請求項１】
複数の種類のオーディオケーブルを選択して、イヤホン本体にそのうちの一種類のオーディオケーブルを係合可能であり、前記各種類のオーディオケーブルにオーディオ端子が設けられ、前記イヤホン本体と、第１係止構造と、を含むオーディオケーブル交換可能なイヤホンにおいて、
前記イヤホン本体は、オーディオコンセントを含み、前記オーディオコンセントに前記オーディオ端子を挿入することができ、前記オーディオコンセントに前記オーディオ端子を挿入すると、前記オーディオケーブルが前記イヤホン本体と電気的に連接し、
前記第１係止構造は、前記オーディオコンセントに設けられ、前記第１係止構造により、前記オーディオコンセントに前記オーディオ端子を挿入したときに、前記オーディオコンセントと前記オーディオ端子が互いに係止することを特徴とするオーディオケーブル交換可能なイヤホン。
【請求項２】
前記イヤホン本体は、第１イヤホン本体を含み、前記オーディオコンセントが前記第１イヤホン本体に設けられることを特徴とする、請求項１に記載のオーディオケーブル交換可能なイヤホン。
【請求項３】
前記イヤホン本体は、更に、第２イヤホン本体を含み、前記第２イヤホン本体が前記第１イヤホン本体と電気的に連接することを特徴とする、請求項２に記載のオーディオケーブル交換可能なイヤホン。
【請求項４】
前記イヤホン本体は、耳栓式イヤホンでもいいし、後掛式イヤホンでもいいし、頭掛式イヤホンでもいいし、耳包み式イヤホンでもよいことを特徴とする、請求項１から３の何れか１項に記載のオーディオケーブル交換可能なイヤホン。
【請求項５】
前記第１係止構造は、少なくとも一つの係りホゾであることを特徴とする、請求項１から４の何れか１項に記載のオーディオケーブル交換可能なイヤホン。
【請求項６】
前記オーディオ端子には、更に、第２係止構造が設けられ、前記第２係止構造は、少なくとも前記係りホゾと係合可能な一つの係り穴であることを特徴とする、請求項５に記載のオーディオケーブル交換可能なイヤホン。
【請求項７】
前記係りホゾは、一つの突起と、前記突起と連結した一つの片状バネと、を含み、前記オーディオコンセントに前記オーディオ端子を挿入するときに、前記突起が前記係り穴と係合することを特徴とする、請求項６に記載のオーディオケーブル交換可能なイヤホン。
【請求項８】
前記第１係止構造は、少なくとも一つの係り穴であり、前記オーディオ端子には、更に、第２係止構造が設けられ、前記第２係止構造は、少なくとも前記係り穴と係合可能な一つの係りホゾであることを特徴とする、請求項１から４の何れか１項に記載のオーディオケーブル交換可能なイヤホン。
【請求項９】
前記係りホゾは、一つの突起と、前記突起と連結した一つの片状バネと、を含み、前記オーディオコンセントに前記オーディオ端子を挿入したときに、前記突起が前記係り穴と係合することを特徴とする、請求項８に記載のオーディオケーブル交換可能なイヤホン。
【発明の詳細な説明】
【技術分野】
【０００１】
本発明は、イヤホンに関し、特に、オーディオケーブル交換可能なイヤホンに関するものである。
【背景技術】
【０００２】
従来、イヤホン本体がオーディオケーブルに固定されることが一般である。図１を参照する、図１は従来のイヤホンの模式図である。イヤホン１は、イヤホン左本体１１と、イヤホン右本体１２と、オーディオケーブル１３と、を含み、前記オーディオケーブル１３はオーディオ端子１３１を含む。前記イヤホン左本体１１が前記イヤホン右本体１２と電気的に連接し、前記オーディオケーブル１３が前記イヤホン左本体１１と電気的に連接し、なお、前記オーディオ端子１３１は、オーディオ再生装置に設けられるオーディオ挿入穴に挿入して、前記オーディオケーブル１３を介して、前記イヤホン左本体１１と前記イヤホン右本体１２にオーディオ信号を伝送することができる。
【０００３】
前記イヤホン１の前記イヤホン左本体１１が前記オーディオケーブル１３と電気的に連接するため、前記オーディオケーブル１３の長さにより前記イヤホン１の利用の自由度が規制される。例えば、前記オーディオケーブル１３の長さが長すぎる場合には、前記オーディオケーブル１３を巻くことにより、前記オーディオケーブル１３の長さを短縮することが必要である。なお、前記オーディオケーブル１３の長さが短すぎる場合には、前記オーディオケーブル１３と接続可能な延長ケーブルを購入し、又は、オーディオケーブルの長さが適当であるイヤホンを別に購入することが必要である。
【発明の概要】
【発明が解決しようとする課題】
【０００４】
本発明の主な目的は、オーディオケーブルがイヤホンに固定されることによる不便および浪費を解消できるオーディオケーブル交換可能なイヤホンを提供することにある。
【０００５】
本発明の次の目的は、オーディオケーブルとオーディオコンセントを脱着可能に係合するにより、オーディオケーブルの交換が可能になるオーディオケーブル交換可能なイヤホンを提供することにある。
【課題を解決するための手段】
【０００６】
本発明のオーディオケーブル交換可能なイヤホンによると、複数の種類のオーディオケーブルを選択して、イヤホン本体にそのうちの一種類のオーディオケーブルを係合可能であり、前記各種類のオーディオケーブルにオーディオ端子が設けられ、イヤホン本体と、第１係止構造と、を含むケーブル交換可能なイヤホンにおいて、
前記イヤホン本体は、オーディオコンセントを含み、前記オーディオコンセントに前記オーディオ端子を挿入することができ、前記オーディオコンセントに前記オーディオ端子を挿入したと、前記オーディオケーブルが前記イヤホン本体と電気的に連接し、
前記第１係止構造は、前記オーディオコンセントに設けられ、前記第１係止構造により、前記オーディオコンセントに前記オーディオ端子を挿入したときに、前記オーディオコンセントと前記オーディオ端子が互いに係止することを特徴とする。
【発明の効果】
【０００７】
本発明のオーディオケーブル交換可能なイヤホンによれば、オーディオケーブルがイヤホンに固定されることによる不便および浪費を解消でき、且つオーディオケーブルの交換が可能になるという効果を有する。
【図面の簡単な説明】
【０００８】
【図１】従来のイヤホンの模式図である。
【図２Ａ】本発明の第１実施例のイヤホンの模式図である。
【図２Ｂ】本発明の第１実施例のイヤホンの模式図である。
【図３Ａ】本発明の第１実施例のイヤホンのオーディオケーブルがイヤホン本体に係合された状態の模式図である。
【図３Ｂ】本発明の第１実施例のイヤホンのオーディオケーブルがイヤホン本体に係合された状態の模式図である。
【図４Ａ】本発明の第１実施例のイヤホンのオーディオケーブルがイヤホン本体から離脱した状態の模式図である。
【図４Ｂ】本発明の第１実施例のイヤホンのオーディオケーブルがイヤホン本体から離脱した状態の模式図である。
【図５Ａ】本発明の第２実施例のイヤホンの模式図である。
【図５Ｂ】本発明の第２実施例のイヤホンの模式図である。
【発明を実施するための形態】
【０００９】
以下、本発明の実施の形態を図面に基づいて説明する。
（第１実施例）
図２Ａ及び図２Ｂを参照する。図２Ａ及び図２Ｂは本発明の第１実施例のイヤホンの模式図である。本実施例のオーディオケーブル交換可能なイヤホン２は、複数の種類のオーディオケーブル３を選択して、イヤホン本体２１にそのうちの一種類のオーディオケーブル３を係合可能であり、前記各種類のオーディオケーブル３にオーディオ端子３１が設けられる。前記イヤホン２は、前記イヤホン本体２１と、第１係止構造と、を含む。本実施例では、前記第１係止構造が係り穴２２である。
【００１０】
前記イヤホン本体２１は、第１イヤホン本体２１１と、第２イヤホン本体２１２と、オーディオコンセント２１３と、を含む。前記第１イヤホン本体２１１に前記第２イヤホン本体２１２が電気的に連接され、前記第１イヤホン本体２１１に前記オーディオコンセント２１３が設けられる。前記イヤホン本体２１は、耳栓式イヤホンでもいいし、後掛式イヤホンでもいいし、頭掛式イヤホンでもいいし、耳包み式イヤホンでもよい。前記オーディオコンセント２１３は、標準仕様に合うものであり、２．５ｍｍでもいいし、３．５ｍｍでもいいし、６．３ｍｍでもよい。
【００１１】
前記係り穴２２が前記オーディオコンセント２１３に設けられ、これにより、前記オーディオケーブル３がイヤホン２と脱着可能に電気的に連接する。前記オーディオコンセント２１３に前記オーディオ端子３１を挿入するときには、前記オーディオコンセント２１３と前記オーディオ端子３１が互いに係合する。
【００１２】
一方、前記オーディオケーブル３は、更に、第２係止構造を含む。本発明の第１実施例では、前記第２係止構造が係りホゾ３２であり、前記係りホゾ３２が前記オーディオ端子３１に設けられる。且つ前記係りホゾ３２は前記係り穴２２と係合可能である。
【００１３】
前記係りホゾ３２は、一つの突起３２１と、一つの片状バネ３２２と、を含む。前記オーディオコンセント２１３に前記オーディオ端子３１を挿入したときには、前記突起３２１が前記係り穴２２と係合する。前記片状バネ３２２は、一端が前記突起３２１と連結し、他端が前記オーディオ端子３１と連結する。
【００１４】
図３Ａ及び図３Ｂを参照する。図３Ａ及び図３Ｂは本発明の第１実施例のイヤホンのオーディオケーブルがイヤホン本体に係合された状態の模式図である。ユーザは、適当の長さを有するオーディオケーブル３を前記第１イヤホン本体２１１と電気的に連接して、第１移動方向Ｄ１に沿って前記オーディオ端子３１を前記オーディオコンセント２１３に挿入する。このとき、前記突起３２１が前記オーディオコンセント２１３の内側に押えられ、前記片状バネ３２２が内側へ変形し、これにより、前記突起３２１が前記オーディオコンセント２１３の内側に押付ける。
【００１５】
また、前記第１移動方向Ｄ１に沿って前記オーディオ端子３１を持続に移動し、前記オーディオ端子３１が前記オーディオコンセント２１３と連接したと、弾力により前記片状バネ３２２が外側に戻り、ひいては前記突起３２１が前記係り穴２２と係合し、そうすると、前記オーディオ端子３１と前記オーディオコンセント２１３が互いに係合するようになる。
【００１６】
図４Ａ及び図４Ｂを参照する。図４Ａ及び図４Ｂは本発明の第１実施例のイヤホンのオーディオケーブルがイヤホン本体から離脱した状態の模式図である。まず、ユーザが前記突起３２１を押付けて、前記片状バネ３２２が内側へ変形し、これにより、前記係り穴２２から前記突起３２１を離脱することができる。次に、第２移動方向Ｄ２に沿って前記オーディオ端子３１を移動すると、前記オーディオ端子３１が前記オーディオコンセント２１３から離脱し、前記突起３２１が前記オーディオコンセント２１３の内側に押付ける。
【００１７】
前記第２移動方向Ｄ２に沿って前記オーディオ端子３１を持続に移動すると、前記オーディオ端子３１が前記オーディオコンセント２１３から完全に離脱し、弾力により前記片状バネ３２２が外側に戻る。
【００１８】
上記の説明から明らかなように、ユーザが適当の長さを有するオーディオケーブル３を選定して、前記オーディオケーブル３に設けられたオーディオ端子３１をオーディオコンセント２１３に挿入すると、係り穴２２と係りホゾ３２の係合により、前記オーディオ端子３１と前記オーディオコンセント２１３の係合が更に緊密になる。例えば、ユーザがジョギングし、又は自転車を乗るときには、オーディオ再生装置（例えばウォークマン又はＭＰ３プレーヤーなど）を身の回りに携帯することが一般であり、このとき、長さがより短いオーディオケーブル３を利用することができ、また、係り穴２２と係りホゾ３２の係合により、オーディオ端子３１とオーディオコンセント２１３の係合が更に緊密になり、運動しているときに、オーディオ端子３１がオーディオコンセント２１３から離脱することを回避できる。
【００１９】
一方、ユーザは、室内でより大型なオーディオ再生装置（例えばオーディオデバイスやラジオなど）を利用する場合に、長さがより長いオーディオケーブル３を利用することができ、そうすると、より大型なオーディオ再生装置を移動せずに、本発明の第１実施例のイヤホン２により音楽などを楽しむことができる。
【００２０】
（第２実施例）
図５Ａ及び図５Ｂを参照する。図５Ａ及び図５Ｂは本発明の第２実施例のイヤホンの模式図である。本実施例のオーディオケーブル交換可能なイヤホン２´は、複数の種類のオーディオケーブル３´を選択して、イヤホン本体２１´にそのうちの一種類のオーディオケーブル３´を係合可能であり、前記各種類のオーディオケーブル３´にオーディオ端子３１´が設けられる。前記イヤホン２´は、前記イヤホン本体２１´と、第１係止構造と、を含む。本実施例では、前記第１係止構造が係りホゾ２２´である。
【００２１】
前記イヤホン本体２１´は、第１イヤホン本体２１１´と、第２イヤホン本体２１２´と、オーディオコンセント２１３´と、を含む。前記第１イヤホン本体２１１´に前記第２イヤホン本体２１２´が電気的に連接され、前記第１イヤホン本体２１１´に前記オーディオコンセント２１３´が設けられる。前記イヤホン本体２１´は、耳栓式イヤホンでもいいし、後掛式イヤホンでもいいし、頭掛式イヤホンでもいいし、耳包み式イヤホンでもよい。前記オーディオコンセント２１３´は、標準仕様に合うものであり、２．５ｍｍでもいいし、３．５ｍｍでもいいし、６．３ｍｍでもよい。
【００２２】
前記係りホゾ２２´が前記オーディオコンセント２１３´に設けられ、これにより、オーディオケーブル３´がイヤホン２´と脱着可能に電気的に連接する。前記オーディオコンセント２１３´に前記オーディオ端子３１´を挿入するときには、前記オーディオコンセント２１３´と前記オーディオ端子３１´が互いに係合する。
【００２３】
一方、前記オーディオケーブル３´は、更に、第２係止構造を含む。本発明の第２実施例では、前記第２係止構造が係り穴３２´であり、前記係り穴３２´が前記オーディオ端子３１´に設けられる。且つ前記係り穴３２´は前記係りホゾ２２´と係合可能である。
【００２４】
前記係りホゾ２２´は、一つの突起２２１´と、一つの片状バネ２２２´と、を含む。前記オーディオコンセント２１３´に前記オーディオ端子３１´を挿入したときには、前記突起２２１´が前記係り穴３２´と係合する。前記片状バネ２２２´は、一端が前記突起２２１´と連結し、他端が前記オーディオコンセント２１３´と連結する。
【００２５】
上記の相違の他に、本発明の第２実施例のイヤホン２´の係合方式および離脱方式は、本発明の第１実施例のイヤホン２の係合方式および離脱方式とよく類似するため、説明を省略した。
【００２６】
本発明のオーディオケーブル交換可能なイヤホン（すなわち、イヤホン２又はイヤホン２´）は、前記イヤホン本体２１、２１´に、更に、オーディオコンセント２１３、２１３´を含み、前記オーディオコンセント２１３、２１３´により、オーディオケーブル３、３´が前記イヤホン本体２１、２１´と電気的に連接することができる。すなわち、ユーザは、場合によって、相違の長さを有するオーディオケーブル３、３´を選定して利用することができる。一方、本発明では、更に、第１係止構造を含み、前記第１係止構造により、前記オーディオケーブル３、３´と前記オーディオコンセント２１３、２１３´の係合が更に緊密になる。
【００２７】
このように、本発明が、特定の例を参照して説明したが、それらの例は、説明のためだけのものであり、本発明を限定するものではなく、この分野に通常の知識を有する者には、本発明の要旨および特許請求の範囲を逸脱することなく、ここで開示された実施例に変更、追加、または、削除を施してもよいことがわかる。
【符号の説明】
【００２８】
１：イヤホン、２,２´：イヤホン、３,３´：オーディオケーブル、１１：イヤホン左本体、１２：イヤホン右本体、１３：オーディオケーブル、２１,２１´：イヤホン本体、２２：係り穴、２２´：係りホゾ、３１,３１´：オーディオ端子、３２：係りホゾ、３２´：係り穴、１３１：オーディオ端子、２１１,２１１´：第１イヤホン本体、２１２,２１２´：第２イヤホン本体、２１３，２１３´：オーディオコンセント、２２１´：突起、２２２´：片状バネ、３２１：突起、３２２：片状バネ、Ｄ１：第１移動方向、Ｄ２：第２移動方向。
【産業上の利用可能性】
【００２９】
本発明は、イヤホンに適用することができる。
【図１】
2011234124.tif 000003
【図２Ａ】
2011234124.tif 000004
【図２Ｂ】
2011234124.tif 000005
【図３Ａ】
2011234124.tif 000006
【図３Ｂ】
2011234124.tif 000007
【図４Ａ】
2011234124.tif 000008
【図４Ｂ】
2011234124.tif 000009
【図５Ａ】
2011234124.tif 000010
【図５Ｂ】
2011234124.tif 000011